(57)【要約】【課題】清掃時において繊維層の起毛性、繊維層の圧縮回復性が優れ、清掃対象物の凹凸面への追従性が高く、利便性が十分に考慮され、清掃性能が優れた清掃用物品を提供する。【解決手段】扁平筒状の把手挿入部15を有し、把手を把手挿入部15内に挿入して取り付け可能になされている清掃用物品10であって、把手挿入部15は、対向した把手挿入部形成シート13が接合されて形成されており、把手挿入部形成シート13における把手挿入部15の上面及び下面には、それぞれ繊維束からなる繊維層11A,11Bが1層以上設けられており、繊維層11A,11Bのうち最も把手挿入部形成シート13側の第1繊維層11Aは、把手挿入部形成シート13に、幅方向中央部においては長手方向に連続的に延びる中央連続シール線16Aにより接合されており、中央連続シール線16Aから幅方向外方の少なくとも片側に離間した位置においては長手方向に非連続的に延びるサイド非連続シール16Bにより接合されている。【選択図】図４
2007236690.tif 000002
【特許請求の範囲】
【請求項１】
扁平筒状の把手挿入部を有し、把手を該把手挿入部内に挿入して取り付け可能になされている清掃用物品であって、
前記把手挿入部は、対向した把手挿入部形成シートが接合されて形成されており、
前記把手挿入部形成シートにおける前記把手挿入部の上面及び下面には、それぞれ繊維束からなる繊維層が１層以上設けられており、
前記繊維層のうち最も前記把手挿入部形成シート側の第１繊維層は、該把手挿入部形成シートに、幅方向中央部においては長手方向に連続的に延びる中央連続シール線により接合されており、該中央連続シール線から幅方向外方の少なくとも片側に離間した位置においては長手方向に非連続的に延びるサイド非連続シールにより接合されている清掃用物品。
【請求項２】
前記繊維層のうち前記第１繊維層の外側の第２繊維層は、前記把手挿入部形成シートに、幅方向中央部においてのみ前記中央連続シール線により接合されている請求項１記載の清掃用物品。
【請求項３】
前記中央連続シール線と前記サイド非連続シールとの幅方向間隔は、５〜４５ｍｍである請求項１又は２に記載の清掃用物品。
【請求項４】
前記把手挿入部の長さは、前記繊維層の前記把手挿入部の挿入方向に沿う長さと等しいか又はそれよりも長い請求項１〜３の何れかに記載の清掃用物品。
【請求項５】
前記サイド非連続シールのシール総長さは、前記中央連続シール線の前記把手挿入部の挿入方向に沿う長さの１０％以上である請求項４記載の清掃用物品。
【請求項６】
前記サイド非連続シールは、長手方向に離間した２〜５０個の点シールの集合体から構成されている請求項１〜５の何れかに記載の清掃用物品。
【発明の詳細な説明】
【技術分野】
【０００１】
本発明は、把手挿入部を有し、把手を該把手挿入部内に挿入して取り付け可能になされている清掃用物品に関する。
【背景技術】
【０００２】
従来より、把手挿入部を有し、把手を該把手挿入部内に挿入して取り付け可能になされている清掃用物品が知られている（例えば、下記特許文献１参照）。
また、基材シートの上面及び下面に、それぞれ繊維束からなる繊維層を設けた清掃用物品が知られている。繊維層は、基材シートに複数本の連続シール線により接合されることが一般的である（例えば、下記特許文献２参照）。
一方で、基材シートの片側に繊維束からなる繊維層があり、両者が線状接着と非連続の点状接着により接合されている清掃用物品が知られている（下記特許文献３参照）。
【０００３】
【特許文献１】特開２００３−２６５３９０号公報
【特許文献２】特開平９−１３５７９８号公報
【特許文献３】国際公開２００５／０９９５４９号パンフレット
【発明の開示】
【発明が解決しようとする課題】
【０００４】
しかし、特許文献２記載の清掃用物品においては、繊維層が基材シートに複数本の連続シール線により接合されて構成されているため、清掃時において繊維層の起毛性、繊維層の圧縮回復性等が優れていない。そのため、清掃対象物の凹凸面への追従性が低く、清掃性能が優れていない。
一方で、特許文献３記載の清掃用物品においては、繊維層が片側にしかなく、片面でしか清掃できないため、清掃作業が煩雑であり、利便性が十分に考慮されていない。
【０００５】
従って、本発明の目的は、清掃時において繊維層の起毛性、繊維層の圧縮回復性が優れ、清掃対象物の凹凸面への追従性が高く、利便性が十分に考慮され、清掃性能が優れた清掃用物品を提供することにある。
【課題を解決するための手段】
【０００６】
本発明は、扁平筒状の把手挿入部を有し、把手を該把手挿入部内に挿入して取り付け可能になされている清掃用物品であって、前記把手挿入部は、対向した把手挿入部形成シートが接合されて形成されており、前記把手挿入部形成シートにおける前記把手挿入部の上面及び下面には、それぞれ繊維束からなる繊維層が１層以上設けられており、前記繊維層のうち最も前記把手挿入部形成シート側の第１繊維層は、該把手挿入部形成シートに、幅方向中央部においては長手方向に連続的に延びる中央連続シール線により接合されており、該中央連続シール線から幅方向外方の少なくとも片側に離間した位置においては長手方向に非連続的に延びるサイド非連続シールにより接合されている清掃用物品を提供することにより前記目的を達成したものである。
【発明の効果】
【０００７】
本発明の清掃用物品によれば、清掃時において繊維層の起毛性、繊維層の圧縮回復性が優れ、清掃対象物の凹凸面への追従性が高く、清掃に寄与する繊維先端が清掃用物品の表面を全域に渡り覆っているため清掃性能が優れている。更に利便性が十分に考慮され、狭い隙間などの清掃においては、両面同時の清掃も可能である。
【発明を実施するための最良の形態】
【０００８】
以下、本発明の清掃用物品について、その好ましい一実施形態に基づき図面を参照しながら説明する。
本実施形態の清掃用物品１０は、図１〜図４に示すように、全体として縦長で扁平形状を有しており、幅方向に一対の扁平筒状の把手挿入部１５，１５を備えている。本実施形態の清掃用物品１０においては、一対の把手挿入部１５，１５内に、把手２０における一対の挿入部２２，２２（詳細は後述）をそれぞれ挿入して取り付け可能になっている。
尚、以下の説明において、「長手方向」及び「幅方向」とは、特に明記のない限り、それぞれ把手挿入部１５の長手方向（挿入方向）及び幅方向を意味する。
【０００９】
把手挿入部１５は、対向した２枚の把手挿入部形成シート１３，１３が所定位置の中央連続シール線１６Ａ，サイド非連続シール１６Ｂ（詳細は後述）で接合されて形成されている。
把手挿入部形成シート１３における把手挿入部１５の上面及び下面には、それぞれ繊維束からなる繊維層１１が１層以上設けられている。本実施形態においては、把手挿入部１５の上面及び下面に、それぞれ第１繊維層１１Ａ、第２繊維層１１Ｂの２層の繊維層１１が設けられている。尚、第１繊維層１１Ａ、第２繊維層１１Ｂに共通する説明を行う際には「繊維層１１」の表現を用いる。
【００１０】
第１繊維層１１Ａは、繊維層１１のうち最も把手挿入部形成シート１３側の繊維層であり、第２繊維層１１Ｂは、第１繊維層１１Ａの外側の繊維層である。従って、本実施形態の清掃用物品１０においては、上層から下層に向けて、把手挿入部１５の上面の第２繊維層１１Ｂ及び第１繊維層１１Ａ並びに把手挿入部１５の下面の第１繊維層１１Ａ及び第２繊維層１１Ｂの順で積層した４層の繊維層が形成されている。
【００１１】
繊維層１１は、繊維束が所定の厚みをもって配向されて形成されている。繊維束は、把手挿入部１５の幅方向に略配向している。従って、第１繊維層１１Ａ及び第２繊維層１１Ｂは、繊維の配向方向が把手挿入部形成シート１３の長手方向と略直交するように積層されている。各繊維層１１は、略矩形の平面視形状を有しており、それぞれ実質的に同形となっている。
【００１２】
繊維層１１を構成する繊維束の繊維長は、埃の絡み取り性の観点から、好ましくは３０〜１５０ｍｍ、更に好ましくは５０〜１２０ｍｍである。本実施形態においては、このような繊維長を有する繊維を繊維束（トウ）の状態で用いる。その際には公知の開繊装置を用いて繊維を十分に開繊しておくことが好ましい。
繊維の太さは、特に臨界的ではないが、埃の絡み取り性や清掃対象面への傷付き防止性の観点から、０．１〜２００ｄｔｅｘ、特に２〜３０ｄｔｅｘであることが好ましい。
【００１３】
繊維層１１を構成する繊維として特に捲縮繊維を用いると、埃の絡み取り性が一層向上するので好ましい。捲縮繊維としては、二次元又は三次元捲縮したものを用いることができる。捲縮率（ＪＩＳ  Ｌ０２０８）は、埃の絡み取り性の向上の点から、５〜５０％、特に１０〜３０％であることが好ましい。捲縮率は、繊維を引き伸ばしたときの長さＡと、元の繊維の長さＢとの差の、繊維を伸ばしたときの長さＡに対する百分率で定義され、下記の式から算出される。
捲縮率＝（Ａ−Ｂ）／Ａ  ×  １００（％）
【００１４】
元の繊維の長さＢとは、繊維が自然状態において、繊維の両端部を直線で結んだ長さをいう。自然状態とは、繊維の一方の端部を水平な板に固定し、繊維の自重で下方に垂らした状態をいう。繊維を引き伸ばした時の長さＡとは、繊維の捲縮がなくなるまで伸ばした時の最小荷重時の長さをいう。
繊維の捲縮率は前述の通りであり、捲縮数は１ｃｍあたり２〜１０個であることが好ましい。
【００１５】
把手挿入部形成シート１３は、略矩形状で、それらの長手方向が清掃用物品１０の長手方向と一致している。把手挿入部形成シート１３の長さは、繊維層１１の長さとほぼ同じになっている。把手挿入部形成シート１３の幅は、繊維層１１の幅よりも狭くなっている。
【００１６】
把手挿入部形成シート１３は、その長手方向に柔軟性を有しており、清掃対象面に沿って追随し易くなっている。そのため、把手挿入部形成シート１３に接合されている繊維層１１も、清掃対象面に沿って追随し易くなるので、清掃用物品１０によるゴミ、埃等の補足効果が高くなっている。
把手挿入部形成シート１３の形成材料としては、従来の清掃用物品に用いられている不織布等の繊維シートを用いることができる。特に、エアスルー不織布又はスパンボンド不織布が好ましい。
【００１７】
繊維層１１と把手挿入部形成シート１３とは、それらの幅方向中央部を一致させて、把手挿入部形成シート１３の長手方向に亘って接合されている。
詳細には、第１繊維層１１Ａは、把手挿入部形成シート１３に、幅方向中央部においては長手方向に連続的に延びる中央連続シール線１６Ａにより接合されており、中央連続シール線１６Ａから幅方向外方にそれぞれ離間した位置においては長手方向に非連続的に延びるサイド非連続シール１６Ｂにより接合されている。
また、第２繊維層１１Ｂは、把手挿入部形成シート１３に、幅方向中央部においてのみ中央連続シール線１６Ａにより接合されている。
【００１８】
本実施形態の清掃用物品１０においては、その幅方向中央部に位置している中央連続シール線１６Ａは、連続直線状で、把手挿入部形成シート１３の長手方向の前後端部間に亘って形成されている。尚、中央連続シール線１６Ａの幅方向位置は、把手挿入部形成シート１３の幅方向中央部でもある。
清掃に寄与する繊維の先端が清掃用物品の表面全域に渡るためには、中央連続シール線１６Ａの幅方向位置は、把手挿入部形成シート１３の幅方向を２：８〜８：２に分割する位置であることが好ましく、該幅方向を４：６〜６：４に分割する位置であることが更に好ましい。
【００１９】
把手挿入部形成シート１３の少なくとも一方の長さは、第１繊維層１１Ａあるいは第２繊維層１１Ｂの把手挿入部１５の挿入方向に沿う長さの１００％以上である。把手２０の挿入位置の確認しやすさ、挿入操作のしやすさ等から、両方の把手挿入部形成シート１３が第１繊維層１１Ａあるいは第２繊維層１１Ｂより長いことが好ましい。把手挿入部形成シート１３の長手方向端部は、第１繊維層１１Ａあるいは第２繊維層１１Ｂの長手方向端部から１ｍｍ〜４０ｍｍ延出していることが好ましく、１ｍｍ〜３０ｍｍ延出していることがさらに好ましい。
【００２０】
また、該清掃用物品１０のように把手２０を持って清掃する場合、清掃用物品１０の先端部のみが汚れる傾向がある。この傾向に配慮し、清掃面を無駄なく使用できるようにする観点から、図１に示す把手２０の挿入方向の反対側、即ち図１の右側からも把手２０を挿入可能なように、もう一つの挿入口を設けることも有効である。本実施形態の清掃用物品１０は、後述するように、このような形態を有している。この場合も、上記と同様に、把手挿入部形成シート１３の長手方向端部は、もう一つの挿入口側においても、第１繊維層１１Ａあるいは第２繊維層１１Ｂの長手方向端部から延出していることが好ましい。
把手挿入部形成シート１３は、第１繊維層１１Ａあるいは第２繊維層１１Ｂより延出している部分においては、装着性の向上のため、少なくとも１ｍｍ以上の未接合の部分を持っていることが好ましい。５ｍｍ以上の未接合部を持っていることが更に好ましい。
【００２１】
中央連続シール線１６Ａの幅方向外方にはそれぞれサイド非連続シール１６Ｂ，１６Ｂ（図３において破線で囲まれた部分）が設けられている。
サイド非連続シール１６Ｂは、長手方向に離間した２〜１００個の点シール１８の集合体から構成されている。集合体を構成する点シール１８の個数は、更に好ましくは２〜５０個である。本実施形態の点シール１８は、円形のヒートシールから形成されている。点シール１８は、長手方向位置を一致させて配列しており、長手方向に等間隔に並んで形成されている。点シール１８の長手方向間隔は、把手２０を把手挿入部１５に挿入する際に引っ掛からないようにする観点から、５〜４０ｍｍであることが好ましい。
【００２２】
中央連続シール線１６Ａとサイド非連続シール１６Ｂとの幅方向間隔Ｗ１は、好ましくは５〜９０ｍｍ、更に好ましくは５〜４５ｍｍである。
前記幅方向間隔Ｗ１は、対向した把手挿入部形成シート１３が重なった状態において、サイド非連続シール１６Ｂを形成している点シール１８の幅方向内側の縁端と、中央連続シール線１６Ａの幅方向外側の縁端との間を、把手挿入部形成シート１３の幅方向に沿って測った距離である。本実施形態においては、前記幅方向間隔Ｗ１は、把手挿入部１５の幅となる。
【００２３】
サイド非連続シール１６Ｂのシール総長さ（サイド非連続シールについて非連続部分を仮想的に詰めて連続線とみなしたときの長さ）は、第１繊維層１１Ａの把手挿入部１５に沿うの長さの１０％以上であることが好ましく、１５％以上であることが更に好ましい。また、サイド非連続シール１６Ｂのシール総長さは、中央連続シール線１６Ａの把手挿入部１５の挿入方向に沿う長さの１０％以上であることが好ましく、１５％以上であることが更に好ましい。
【００２４】
サイド非連続シール１６Ｂにおける、長手方向に隣接した点シール１８，１８間の領域においては、把手挿入部形成シート１３と第１繊維層１１Ａとの間及び対向した把手挿入部形成シート１３同士の間（詳細は後述）は接合されていない。
尚、点シール１８の形状は、例えば、楕円形、矩形等でもよい。点シール１８の長手方向間隔は、等間隔でなくてもよい。
【００２５】
従って、第１繊維層１１Ａは、幅方向に沿う縦断面視において、図４（ａ）に示すように、中央連続シール線１６Ａ及び２個のサイド非連続シール１６Ｂの３箇所で接合されているか、又は図４（ｂ）に示すように、中央連続シール線１６Ａのみの１箇所で接合されている。第２繊維層１１Ｂは、幅方向に沿う縦断面視において、図４（ａ）及び図４（ｂ）に示すように、どの断面においても中央連続シール線１６Ａのみの１箇所で接合されている。
【００２６】
前述のように、本実施形態においては、第１繊維層１１Ａ、第２繊維層１１Ｂと把手挿入部形成シート１３との接合は、前記各々の繊維層１１Ａ、１１Ｂによって接合（シール）方法を使い分けている。これにより繊維束（トウ）の起毛の状態が、幅方向中央部における同じシール点（中央連続シール線１６Ａ）においても前記各々の繊維層１１Ａ、１１Ｂにより異なる。第１繊維層１１Ａは、第２繊維層１１Ｂの存在により垂直に立ち上がる傾向が抑えられ、斜め上方へ立ち上がることになる。一方、第２繊維層１１Ｂは、第１繊維層１１Ａがすぐ脇にあることにより垂直に立ち上がる傾向を助長させられる（詳細は後述）。
【００２７】
これらの効果を前記各々の繊維層１１Ａ、１１Ｂによるシール位置の使い分けによらず、単純に１層に用いる繊維束の量を増やすことにより実現することも可能である。しかしながら、かかる方法（形態）では、コストアップにつながりやすい。さらに繊維束の接合（シール）の確実性が下がり、繊維脱落の多発につながりやすい。これらの不具合を回避する観点から、本実施形態に挙げた前記各々の繊維層１１Ａ、１１Ｂによる接合方法の使い分けが好ましい。ここで言う前記各々の繊維層とは、一束の層を適宜分割したものであってもよく、厚み方向において判別可能なものであってもよい。
【００２８】
中央連続シール線１６Ａ，サイド非連続シール１６Ｂは、ヒートシール、接着剤による接着等の公知の接合手段により形成されている。把手挿入部形成シート１３が熱融着性の材料から構成されている場合には、中央連続シール線１６Ａ，サイド非連続シール１６Ｂは、熱融着によって形成することもできる。
【００２９】
扁平筒状の一対の把手挿入部１５，１５は、対向した把手挿入部形成シート１３，１３が、３本のサイド非連続シール１６Ｂ，中央連続シール線１６Ａ，サイド非連続シール１６Ｂで接合されて形成されている。即ち、３本のサイド非連続シール１６Ｂ，中央連続シール線１６Ａ，サイド非連続シール１６Ｂは、把手挿入部形成シート１３と繊維層１１との接合シール部と、対向した把手挿入部形成シート１３，１３同士の接合シール部を兼ねている。
【００３０】
把手挿入部１５は、把手挿入部形成シート１３の長手方向の前後端部間の全長に亘って形成されている。把手挿入部１５，１５においては、把手２０が挿入されていない状態では、対向した把手挿入部形成シート１３，１３が当接し得る状態にあるが、把手２０が挿入された状態では、対向した把手挿入部形成シート１３，１３が離間し、筒状の空間が形成されるようになっている。
【００３１】
把手挿入部１５は、把手挿入部形成シート１３における長手方向の前後端部それぞれに挿入口を有している。そのため、把手２０は、把手挿入部１５内に何れの挿入口からも挿入可能となっている。
【００３２】
把手２０は、図５に示すように、把持部２１と把持部２１の先端から二股に分岐した一対の挿入部２２，２２とを備えている。把持部２１と挿入部２２とは所定の角度をなしている。挿入部２２は細長い扁平板状の形状を有している。挿入部２２がこのような形状となっていることで、挿入部２２に可撓性が付与される。可撓性が付与されていると、曲面や凹凸を有する清掃対象面を清掃した場合に、清掃用物品１０が清掃対象面に追従し易くなり、埃の除去効率が高まる観点から有利である。
【００３３】
一対の挿入部２２は、清掃用物品１０における一対の把手挿入部１５内にそれぞれ挿入し得るようになっている。挿入部２２，２２間には、挿入部２２よりも短い長さを有するフック部２３が設けられている。フック部２３はその先端が所定の角度をなして上方を向いている。フック部２３は、挿入部２２が把手挿入部１５内に挿入された状態において、清掃用物品１０における切れ込み１９（詳細は後述）と係合することで、挿入部２２を清掃用物品１０から抜け難くしている。
【００３４】
把手２０の形成材料としては、熱可塑性樹脂が好ましく、具体的にはポリエチレン、ポリプロピレン、ポリ塩化ビニル、ポリスチレン、ＡＢＳ樹脂、アクリル樹脂等が、成型加工性、可撓性の観点から好ましい。
【００３５】
本実施形態の清掃用物品１０は、把手２０における一対の挿入部２２，２２をそれぞれ一対の把手挿入部１５，１５に挿入固定した状態で清掃に用いられる。
把手挿入部１５の幅は、把手２０が把手挿入部１５に入り易く且つ清掃中には把手挿入部１５から外れ難くする観点から、把手２０の挿入部２２の幅と略同じ長さにすることが好ましい。把手２０の一対の挿入部２２，２２が清掃用物品１０の一対の把手挿入部１５，１５にそれぞれ挿入されている状態において、把手挿入部１５は、その幅方向に挿入部２２の厚み相当分だけ伸び、挿入部２２を締め付けている。
【００３６】
把手挿入部形成シート１３における長手方向の前後端部は、それぞれ外側に長手方向中央部に向けて折り返されており、折り返されている部分の幅方向中央部は、中央連続シール線１６Ａにより、把手挿入部形成シート１３に接合されている。
把手挿入部形成シート１３における長手方向の前後端部には、把手２０のフック部２３と係合する係合手段として切れ込み１９が設けられている。
【００３７】
切れ込み１９は、コの字状をしており、フック部２３が係合することにより、把手挿入部形成シート１３の長手方向内側から上方に向けて開くようになっている。切れ込み１９がフック部２３に係合されると、把手２０は、把手挿入部１５における長手方向の動き、特に長手方向外側への動きが規制されるため、挿入された把手２０が清掃用物品１０に安定して固定されるようになっている。
【００３８】
切れ込み１９は、対向した把手挿入部形成シート１３の両方に形成されているため、把手２０は、フック部２３を清掃用物品１０の上面側又は下面側の何れに配置しても、把手挿入部１５に挿入して固定することができる。
尚、本実施形態では、把手挿入部１５の長さが繊維層１１の長さ（把手挿入部１５の挿入方向に沿う長さ）とほぼ同じ長さになっているが、本発明においては、装着性等を考慮し、把手挿入部形成シート１３の長さを繊維層１１の長さよりも長くして、把手挿入部１５の長さを繊維層１１の長さよりも長く設ける事が好ましい場合もある（図示せず）。
【００３９】
本発明の清掃用物品は、図６に示すように、各繊維層１１の繊維を毛羽立たせてもよい。各繊維層１１の繊維全体を毛羽立たせた場合、清掃用物品１０の全体形状は、略円柱状となり、繊維層１１の有効面積（清掃対象物への接触面積）が増加し、その捕集効果が向上する。繊維層１１を毛羽立たせるには、例えば、繊維層１１にエアーを吹き付けて、繊維束を毛羽立たせることが好ましい。
【００４０】
このように構成された本実施形態の清掃用物品１０によれば、繊維層１１のうち最も把手挿入部形成シート１３側の第１繊維層１１は、把手挿入部形成シート１３に、幅方向中央部においては長手方向に連続的に延びる中央連続シール線１６Ａにより接合されており、中央連続シール線１６Ａから幅方向外方にそれぞれ離間した位置においては長手方向に非連続的に延びるサイド非連続シール１６Ｂにより接合されている。
【００４１】
そのため、中央連続シール線１６Ａにのみで把手挿入部形成シート１３に接合されている第１繊維層１１Ａにより、清掃用物品１０の幅方向中央部の下側の繊維束（トウ）による刷毛が形成される。ただし、該第１繊維層１１Ａの外側には、中央連続シール線１６Ａのみで把手挿入部形成シート１３に接合されている第２繊維層１１Ｂがあり、第１繊維層１１Ａが垂直に立ち上がることを妨げている。また第１繊維層１１Ａ自身も繊維の集合体であり、厚さ方向でシールに近い繊維は、把手挿入部形成シート１３から見て垂直に立ち上がる傾向がある。また、シールから離れている繊維は、その距離に応じて９０度より少ない角度で立ち上がる傾向がある。
【００４２】
一方、中央連続シール線１６Ａ及びサイド非連続シール１６Ｂで把手挿入部形成シート１３に接合されている第１繊維層１１Ａにおいても、清掃用物品１０の幅方向端部付近の刷毛が形成される。ここでも同様に、各々の繊維は厚さ方向の配置位置によって立ち上がる傾向が異なる。把手挿入部形成シート１３から離れた繊維の方が、垂直に立ち上げることを妨げる他の繊維が少なく、倒れこむ傾向を妨げる他の繊維が多いこと等により、垂直に立ち上がる。一方、把手挿入部形成シート１３に近い繊維は寝てしまう（倒れこむ）傾向にある。これら各々の繊維の立ち上がる傾向の違いにより、該部分においてもシール付近を覆うように繊維束（トウ）による刷毛が形成される。
【００４３】
また、中央連続シール線１６Ａのみで把手挿入部形成シート１３に接合されている第２繊維層１１Ｂにより、清掃用物品１０の幅方向中央部の上側の繊維束（トウ）による刷毛が形成される。これは、該第２繊維層１１Ｂの内側における、中央連続シール線１６Ａのみで把手挿入部形成シート１３に接合されている第１繊維層１１Ａにより、第２繊維層１１Ｂは垂直状態から倒れることが妨げられている。また第２繊維層１１Ｂ自身も繊維の集合体であり、厚さ方向でシールに近い繊維は、把手挿入部形成シート１３から見て垂直に立ち上がる傾向があり、シールから離れている繊維は、その距離に応じて９０度より少ない角度で立ち上がる傾向がある。上述のように、各々のシール部分のみにより形成された刷毛は、複数の連続シール線によって形成可能である。しかし、このような刷毛では、使用時、使用後等の荷重を掛けられた後では、起毛状態となっている繊維も、倒れこむことを防止する繊維と同じ方向に倒れこむ傾向があり、圧縮回復性は期待できない。
【００４４】
しかし、本発明の清掃用物品のように、繊維のシール位置が複数あり、複数のパターンの刷毛が形成される場合は、各々の刷毛により起毛状態の繊維を支えるパターンが異なり、起毛状態の繊維の支え合いが効果的になされ、起毛方向が異なる清掃用物品が形成される。この傾向は、使用時、使用後等の荷重を掛けられた後でも、有効に働き、一定以上の圧縮回復性を示す。この効果により該清掃用物品において表面の刷毛が清掃操作に有効なように全表面を覆うことになる。さらに、エアブロー等により繊維は立ち上がり、互いに支え合う形になり、図６に示すように清掃用物品１０の全周を繊維による刷毛の先端で覆うような形態にすることが可能である。
本実施形態においては、これらの効果が組み合わさり、清掃時において繊維層１１の起毛性、繊維層１１の圧縮回復性が優れ、清掃対象物の凹凸面への追従性が高く、清掃性能が優れている。
【００４５】
次に本発明の第２実施形態の清掃用物品１０を、図７及び図８を参照しながら説明する。第２実施形態について、特に説明しない点については、第１実施形態に関して詳述した説明が適宜適用される。また、図７及び図８において、図１〜図６と同じ部材に同じ符号を付してある。
【００４６】
第２実施形態の清掃用物品１０は、図７及び図８に示すように、把手挿入部１５が一つだけ設けられている。２枚の同形で縦長の把手挿入部形成シート１３，１３が、その長手方向に亘る２つのサイド非連続シール１６Ｂ，１６Ｂで貼り合わされて、筒状の把手挿入部１５が形成されている。２つのサイド非連続シール１６Ｂ，１６Ｂ（図８において点線で囲まれた部分）それぞれは、図８に示すように、円形のヒートシールによる点シール１８が、該シート１３，１３の長手方向に等間隔に並んで形成されている。第１実施形態の清掃用物品に設けられていた線状のヒートシールによる中央連続シール線１６Ａは、把手挿入部形成シート１３と繊維層１１との接合をしているが、２枚の把手挿入部形成シート１３，１３同士の接合はしていない。
【００４７】
本実施形態において、把手２０の挿入部の形状は、その幅が把手挿入部１５と略同じ幅を有していれば、第１実施形態と同様に２股に分岐していても良いし、分岐していない一体的形状（図示せず）であっても良い。
【００４８】
第２実施形態によれば、第１実施形態と同様の効果が得られる。また、把手２０の挿入部が２股に分岐していない一体的形状を有している場合には、該挿入部の剛性が把手２０により高められているため、部屋等の隅部や壁と家具の間の隙間などを清掃する場合、又は清掃対象面にこびりついたゴミを掻き取り、除去する場合において、操作性が向上する。
【００４９】
本発明の清掃用物品は、前述した実施形態に制限されることなく、本発明の趣旨を逸脱しない限り適宜変更が可能である。
繊維層１１は、把手挿入部形成シート１３に１層のみ（即ち、第１繊維層１１Ａのみ）設けられていてもよい。繊維層１１は、３層以上設けることができる。
把手挿入部１５は、幅方向に折り返された１枚の把手挿入部形成シート１３を所定位置で接合して形成してもよい。
【００５０】
一対のサイド非連続シール１６Ｂ，１６Ｂを構成する点シール１８，１８は、長手方向位置をずらして配列させることができる。そのような形態においては、図９に示すように、第１繊維層１１Ａは、幅方向に沿う縦断面視において、中央連続シール線１６Ａ及び一方のサイド非連続シール１６Ｂ（点シール１８）の２箇所で接合された断面形状も有することになる。
サイド非連続シール１６Ｂは、中央連続シール線１６Ａから幅方向外方の片側に離間した位置のみに設けることができる。
【００５１】
把手挿入部１５は、把手２０における挿入部２２を挿入することができれば、１個の清掃用物品１０に３個以上設けられていてもよい。把手２０の形態にも制限はない。
【図面の簡単な説明】
【００５２】
【図１】図１は、本発明の清掃用物品の第１実施形態に把手を取り付けた状態を示す斜視図である。
【図２】図２は、図１に示す清掃用物品の分解斜視図である。
【図３】図３は、図１に示す清掃用物品における把手挿入部形成シートを示す平面図である。
【図４】図４（ａ）及び図４（ｂ）は、それぞれ図３に示すIVＡ−IVＡ断面図及びIVＢ−IVＢ断面図である。
【図５】図５は、図１に示す把手の斜視図である。
【図６】図６は、図１に示す清掃用物品における繊維層を毛羽立たせた状態を示す斜視図である。
【図７】図７（ａ）及び図７（ｂ）は、本発明の第２実施形態の清掃用物品における把手挿入部形成シートを幅方向に切断した縦断面図〔それぞれ図４（ａ）及び図４（ｂ）対応図〕である。
【図８】図８は、図７に示す清掃用物品における把手挿入部形成シートを示す平面図（図３対応図）である。
【図９】図９は、把手挿入部形成シートと繊維層との接合形態の変形例を示す断面図（図４対応図）である。
【符号の説明】
【００５３】
１０  清掃用物品
１１Ａ  第１繊維層
１１Ｂ  第２繊維層
１３  把手挿入部形成シート
１５  把手挿入部
１６Ａ  中央連続シール線
１６Ｂ  サイド非連続シール
１８  点シール
２０  把手
２２  挿入部
【図１】
2007236690.tif 000003
【図２】
2007236690.tif 000004
【図３】
2007236690.tif 000005
【図４】
2007236690.tif 000006
【図５】
2007236690.tif 000007
【図６】
2007236690.tif 000008
【図７】
2007236690.tif 000009
【図８】
2007236690.tif 000010
【図９】
2007236690.tif 000011